(57)【要約】【課題】本発明は多機能筆箱を開示した。  【解決手段】筆箱を含み、前記筆箱の中には上方へ開口した五つの筆チャンバが設置され、前記筆チャンバの左側には回転チャンバが連通するように設置され、前記回転チャンバの前後内壁の間には閉じ板が回転できるように装着され、前記筆チャンバの下方にはスライド溝が連通するように設置され、、消しゴムと鉛筆やペンなどを別々に置き、消しゴムと鉛筆やペンなどを使用する時、筆箱を開けなくても消しゴムと鉛筆やペンなどを取り出すことができ、補助機構の中の物差しが測る機能を有し、鉛筆を削る時、鉛筆削りで鉛筆を削ることを実現でき、ほかの鉛筆を削る道具をわざわざ携帯する必要がない。【選択図】図１
2020182770.tif 000002
【特許請求の範囲】
【請求項１】
正面視で、筆箱を含み、前記筆箱の中には上方へ開口した五つの筆チャンバが設置され、前記筆チャンバの左側には回転チャンバが連通するように設置され、前記回転チャンバの前後内壁の間には閉じ板が回転できるように装着され、前記筆チャンバの下方にはスライド溝が連通するように設置され、前記閉じ板が前記スライド溝とスライドできるように装着され、前記閉じ板の中にはスライドチャンバが設置され、前記スライドチャンバの中にはスライド板がスライドできるように装着され、前記スライド溝の下方にはヒンジ連結チャンバが設置され、前記スライド板が下方へ伸びて前記ヒンジ連結チャンバの頂壁を貫通しており、前記ヒンジ連結チャンバの右側にはボタンチャンバが設置され、前記ボタンチャンバの中にはボタンがスライドできるように装着され、前記ボタンの左側端面には前記ヒンジ連結チャンバの右側内壁を貫通している推し動かしロッドが固定的に装着され、前記推し動かしロッドと前記スライド板との間には連結ロッドがヒンジにより装着され、前記ボタンの左側端面と前記ボタンチャンバの左側内壁との間には第一ばねが固定的に装着され、鉛筆やペンなどを前記筆チャンバの中に置け、鉛筆やペンなどを使用する時、前記ボタンを押して前記推し動かしロッドを推し動かして左方へ移動させ、前記推し動かしロッドが前記連結ロッドにより前記スライド板を連動させて下方へ移動させ、前記スライド板が前記閉じ板を連動させて下方へ回転させ、これにより鉛筆やペンなどが前記スライド溝を通じて滑り出て、前記筆チャンバの左側には鉛筆を削る機能を有する鉛筆削り機構が設置され、前記鉛筆削り機構は前記筆箱の中に設置された鉛筆削りチャンバを含み、前記鉛筆削りチャンバの右側内壁の中には前記筆箱の左側端面を貫通している鉛筆削りが回転できるよに装着され、前記鉛筆削りチャンバの中には鉛筆の削り屑を貯蔵することができる貯蔵チャンバが置かれており、前記鉛筆削り機構の下方には消しゴムを取り出すことができて測る機能を有する補助機構が設置され、前記補助機構は前記筆箱の底部端面の中に設置された補助チャンバを含み、前記補助チャンバの上下内壁の間には支持ロッドが回転できるように装着され、前記支持ロッドには測れる物差しが固定的に装着されていることを特徴とする多機能筆箱。
【請求項２】
前記鉛筆削り機構はまた前記筆箱の頂部端面に設置された推し動かしチャンバを含み、前記推し動かしチャンバの中には回転ロッドがスライドできるように装着され、前記推し動かしチャンバの下方には噛み合いチャンバが連通するように設置され、前記鉛筆削りの右側端面には動力ロッドが固定的に装着され、前記動力ロッドの右側端面には第一ベベルギヤが固定的に装着され、前記噛み合いチャンバの下方には移動溝が連通するように設置され、前記移動溝の中には移動ブロックがスライドできるように装着され、前記移動ブロックが前記回転ロッドと回転できるように装着され、前記回転ロッドには第二ベベルギヤが固定的に装着され、前記第二ベベルギヤが前記第一ベベルギヤと噛み合うことができ、前記筆箱の後側端面には伝動チャンバが設置され、前記伝動チャンバの左右内壁の間には伝動ロッドが回転できるように装着され、前記伝動ロッドには固定ブロックが左右対称的に、且つ固定的に装着され、左右の前記固定ブロックには筆箱蓋が固定的に装着され、前記伝動チャンバの下方にはリールチャンバが設置され、前記リールチャンバの左右内壁の間にはリールが回転できるように装着され、前記リールチャンバの前側には伝動溝が設置され、前記伝動溝の中には移動ロッドがスライドできるように装着され、前記移動ロッドの前側端面と前記伝動溝の前側内壁との間には第四ばねが固定的に装着され、前記移動ブロックの中には連結溝が設置され、前記連結溝が前記移動ロッドとスライドできるように装着され、前記移動ロッドの左側端面には補助ロッドが固定的に装着され、前記連結溝の左側には補助溝が連通するように設置され、前記補助溝が前記補助ロッドとスライドできるように装着され、前記伝動ロッドと前記移動ロッドとの間には前記リールによりひもが固定的に装着されていることを特徴とする請求項１に記載の多機能筆箱。
【請求項３】
前記補助機構はまた前記補助チャンバの上方に設置された移動チャンバを含み、前記移動チャンバの中には消しゴム箱がスライドできるように装着され、前記消しゴム箱の後側端面と前記移動チャンバの後側内壁との間には第三ばねが固定的に装着され、前記消しゴム箱の左側端面には左方へ開口した引っ掛かり溝が設置され、前記移動チャンバの左側にはばねチャンバが連通するように設置され、前記ばねチャンバの中には引っ掛かりブロックがスライドできるように装着され、前記引っ掛かりブロックが前記引っ掛かり溝の中に引っ掛かることができ、前記引っ掛かりブロックの左側端面と前記ばねチャンバの左側内壁との間には第二ばねが固定的に装着され、前記ばねチャンバの上方には引きロッドチャンバが連通するように設置され、前記引きロッドチャンバの中には引きロッド削り屑箱がスライドできるように装着され、前記引きロッド削り屑箱が前記引っ掛かりブロックと固定的に連結されていることを特徴とする請求項１に記載の多機能筆箱。
【発明の詳細な説明】
【技術分野】
【０００１】
本発明は文房具分野を取り上げて、具体的には多機能筆箱である。
【背景技術】
【０００２】
一般の筆箱は鉛筆やペンや消しゴムなどを置く機能しか有しなく、鉛筆やペンや消しゴムなどを取り出す時に筆箱を開けてこそ取り出すことができ、且つ一般の筆箱は測る機能も鉛筆を削る機能も有しなく、鉛筆を削る単独の道具を使用してこそ鉛筆を削ることができる。
【先行技術文献】
【特許文献】
【０００３】
【特許文献１】中国特許出願公開第１０３１２９２２２号明細書
【発明の概要】
【発明が解決しようとする課題】
【０００４】
本発明は多機能筆箱を提供し、従来技術における上記欠点を解消することを目的とする。
【課題を解決するための手段】
【０００５】
本発明の実施例の多機能筆箱は、筆箱を含み、前記筆箱の中には上方へ開口した五つの筆チャンバが設置され、前記筆チャンバの左側には回転チャンバが連通するように設置され、前記回転チャンバの前後内壁の間には閉じ板が回転できるように装着され、前記筆チャンバの下方にはスライド溝が連通するように設置され、前記閉じ板が前記スライド溝とスライドできるように装着され、前記閉じ板の中にはスライドチャンバが設置され、前記スライドチャンバの中にはスライド板がスライドできるように装着され、前記スライド溝の下方にはヒンジ連結チャンバが設置され、前記スライド板が下方へ伸びて前記ヒンジ連結チャンバの頂壁を貫通しており、前記ヒンジ連結チャンバの右側にはボタンチャンバが設置され、前記ボタンチャンバの中にはボタンがスライドできるように装着され、前記ボタンの左側端面には前記ヒンジ連結チャンバの右側内壁を貫通している推し動かしロッドが固定的に装着され、前記推し動かしロッドと前記スライド板との間には連結ロッドがヒンジにより装着され、前記ボタンの左側端面と前記ボタンチャンバの左側内壁との間には第一ばねが固定的に装着され、鉛筆やペンなどを前記筆チャンバの中に置け、鉛筆やペンなどを使用する時、前記ボタンを押して前記推し動かしロッドを推し動かして左方へ移動させ、前記推し動かしロッドが前記連結ロッドにより前記スライド板を連動させて下方へ移動させ、前記スライド板が前記閉じ板を連動させて下方へ回転させ、これにより鉛筆やペンなどが前記スライド溝を通じて滑り出て、前記筆チャンバの左側には鉛筆を削る機能を有する鉛筆削り機構が設置され、前記鉛筆削り機構は前記筆箱の中に設置された鉛筆削りチャンバを含み、前記鉛筆削りチャンバの右側内壁の中には前記筆箱の左側端面を貫通している鉛筆削りが回転できるよに装着され、前記鉛筆削りチャンバの中には鉛筆の削り屑を貯蔵することができる貯蔵チャンバが置かれており、前記鉛筆削り機構の下方には消しゴムを取り出すことができて測る機能を有する補助機構が設置され、前記補助機構は前記筆箱の底部端面の中に設置された補助チャンバを含み、前記補助チャンバの上下内壁の間には支持ロッドが回転できるように装着され、前記支持ロッドには測れる物差しが固定的に装着されている。
【０００６】
更の技術プランとしては、前記鉛筆削り機構はまた前記筆箱の頂部端面に設置された推し動かしチャンバを含み、前記推し動かしチャンバの中には回転ロッドがスライドできるように装着され、前記推し動かしチャンバの下方には噛み合いチャンバが連通するように設置され、前記鉛筆削りの右側端面には動力ロッドが固定的に装着され、前記動力ロッドの右側端面には第一ベベルギヤが固定的に装着され、前記噛み合いチャンバの下方には移動溝が連通するように設置され、前記移動溝の中には移動ブロックがスライドできるように装着され、前記移動ブロックが前記回転ロッドと回転できるように装着され、前記回転ロッドには第二ベベルギヤが固定的に装着され、前記第二ベベルギヤが前記第一ベベルギヤと噛み合うことができ、前記筆箱の後側端面には伝動チャンバが設置され、前記伝動チャンバの左右内壁の間には伝動ロッドが回転できるように装着され、前記伝動ロッドには固定ブロックが左右対称的に、且つ固定的に装着され、左右の前記固定ブロックには筆箱蓋が固定的に装着され、前記伝動チャンバの下方にはリールチャンバが設置され、前記リールチャンバの左右内壁の間にはリールが回転できるように装着され、前記リールチャンバの前側には伝動溝が設置され、前記伝動溝の中には移動ロッドがスライドできるように装着され、前記移動ロッドの前側端面と前記伝動溝の前側内壁との間には第四ばねが固定的に装着され、前記移動ブロックの中には連結溝が設置され、前記連結溝が前記移動ロッドとスライドできるように装着され、前記移動ロッドの左側端面には補助ロッドが固定的に装着され、前記連結溝の左側には補助溝が連通するように設置され、前記補助溝が前記補助ロッドとスライドできるように装着され、前記伝動ロッドと前記移動ロッドとの間には前記リールによりひもが固定的に装着されている。
【０００７】
更の技術プランとしては、前記補助機構はまた前記補助チャンバの上方に設置された移動チャンバを含み、前記移動チャンバの中には消しゴム箱がスライドできるように装着され、前記消しゴム箱の後側端面と前記移動チャンバの後側内壁との間には第三ばねが固定的に装着され、前記消しゴム箱の左側端面には左方へ開口した引っ掛かり溝が設置され、前記移動チャンバの左側にはばねチャンバが連通するように設置され、前記ばねチャンバの中には引っ掛かりブロックがスライドできるように装着され、前記引っ掛かりブロックが前記引っ掛かり溝の中に引っ掛かることができ、前記引っ掛かりブロックの左側端面と前記ばねチャンバの左側内壁との間には第二ばねが固定的に装着され、前記ばねチャンバの上方には引きロッドチャンバが連通するように設置され、前記引きロッドチャンバの中には引きロッド削り屑箱がスライドできるように装着され、前記引きロッド削り屑箱が前記引っ掛かりブロックと固定的に連結されている。
【発明の効果】
【０００８】
本発明の有益効果は：本発明は消しゴムと鉛筆やペンなどを別々に置き、消しゴムと鉛筆やペンなどを使用する時、筆箱を開けなくても消しゴムと鉛筆やペンなどを取り出すことができ、補助機構の中の物差しが測る機能を有し、鉛筆を削る時、鉛筆削りで鉛筆を削ることを実現でき、ほかの鉛筆を削る道具をわざわざ携帯する必要がなく、普及する価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は図１のＡ−Ａ方向の断面構成模式図
【図３】図３は図１のＢ−Ｂ方向の断面構成模式図
【図４】図４は本発明の右側面図
【発明を実施するための形態】
【００１１】
図１〜４を参照し、本発明の実施例の多機能筆箱は、筆箱２１を含み、前記筆箱２１の中には上方へ開口した五つの筆チャンバ１１が設置され、前記筆チャンバ１１の左側には回転チャンバ４４が連通するように設置され、前記回転チャンバ４４の前後内壁の間には閉じ板４３が回転できるように装着され、前記筆チャンバ１１の下方にはスライド溝４０が連通するように設置され、前記閉じ板４３が前記スライド溝４０とスライドできるように装着され、前記閉じ板４３の中にはスライドチャンバ４２が設置され、前記スライドチャンバ４２の中にはスライド板４１がスライドできるように装着され、前記スライド溝４０の下方にはヒンジ連結チャンバ３４が設置され、前記スライド板４１が下方へ伸びて前記ヒンジ連結チャンバ３４の頂壁を貫通しており、前記ヒンジ連結チャンバ３４の右側にはボタンチャンバ３７が設置され、前記ボタンチャンバ３７の中にはボタン３８がスライドできるように装着され、前記ボタン３８の左側端面には前記ヒンジ連結チャンバ３４の右側内壁を貫通している推し動かしロッド３６が固定的に装着され、前記推し動かしロッド３６と前記スライド板４１との間には連結ロッド３５がヒンジにより装着され、前記ボタン３８の左側端面と前記ボタンチャンバ３７の左側内壁との間には第一ばね３９が固定的に装着され、鉛筆やペンなどを前記筆チャンバ１１の中に置け、鉛筆やペンなどを使用する時、前記ボタン３８を押して前記推し動かしロッド３６を推し動かして左方へ移動させ、前記推し動かしロッド３６が前記連結ロッド３５により前記スライド板４１を連動させて下方へ移動させ、前記スライド板４１が前記閉じ板４３を連動させて下方へ回転させ、これにより鉛筆やペンなどが前記スライド溝４０を通じて滑り出て、前記筆チャンバ１１の左側には鉛筆を削る機能を有する鉛筆削り機構７０が設置され、前記鉛筆削り機構７０は前記筆箱２１の中に設置された鉛筆削りチャンバ１９を含み、前記鉛筆削りチャンバ１９の右側内壁の中には前記筆箱２１の左側端面を貫通している鉛筆削り２０が回転できるよに装着され、前記鉛筆削りチャンバ１９の中には鉛筆の削り屑を貯蔵することができる貯蔵チャンバ２２が置かれており、前記鉛筆削り機構７０の下方には消しゴムを取り出すことができて測る機能を有する補助機構８０が設置され、前記補助機構８０は前記筆箱２１の底部端面の中に設置された補助チャンバ３２を含み、前記補助チャンバ３２の上下内壁の間には支持ロッド３１が回転できるように装着され、前記支持ロッド３１には測れる物差し３３が固定的に装着されている。
【００１２】
前記鉛筆削り機構７０はまた前記筆箱２１の頂部端面に設置された推し動かしチャンバ１３を含み、前記推し動かしチャンバ１３の中には回転ロッド１２がスライドできるように装着され、前記推し動かしチャンバ１３の下方には噛み合いチャンバ１６が連通するように設置され、前記鉛筆削り２０の右側端面には動力ロッド１７が固定的に装着され、前記動力ロッド１７の右側端面には第一ベベルギヤ１５が固定的に装着され、前記噛み合いチャンバ１６の下方には移動溝４６が連通するように設置され、前記移動溝４６の中には移動ブロック４７がスライドできるように装着され、前記移動ブロック４７が前記回転ロッド１２と回転できるように装着され、前記回転ロッド１２には第二ベベルギヤ４８が固定的に装着され、前記第二ベベルギヤ４８が前記第一ベベルギヤ１５と噛み合うことができ、前記筆箱２１の後側端面には伝動チャンバ５１が設置され、前記伝動チャンバ５１の左右内壁の間には伝動ロッド５０が回転できるように装着され、前記伝動ロッド５０には固定ブロック６１が左右対称的に、且つ固定的に装着され、左右の前記固定ブロック６１には筆箱蓋１８が固定的に装着され、前記伝動チャンバ５１の下方にはリールチャンバ５４が設置され、前記リールチャンバ５４の左右内壁の間にはリール５３が回転できるように装着され、前記リールチャンバ５４の前側には伝動溝５９が設置され、前記伝動溝５９の中には移動ロッド５５がスライドできるように装着され、前記移動ロッド５５の前側端面と前記伝動溝５９の前側内壁との間には第四ばね６０が固定的に装着され、前記移動ブロック４７の中には連結溝５８が設置され、前記連結溝５８が前記移動ロッド５５とスライドできるように装着され、前記移動ロッド５５の左側端面には補助ロッド５７が固定的に装着され、前記連結溝５８の左側には補助溝５６が連通するように設置され、前記補助溝５６が前記補助ロッド５７とスライドできるように装着され、前記伝動ロッド５０と前記移動ロッド５５との間には前記リール５３によりひも５２が固定的に装着され、鉛筆を削る時、筆箱蓋１８を開けて伝動ロッド５０を連動させて回転させ、伝動ロッド５０がひも５２により移動ロッド５５を引き動かして後方へ移動させ、そして移動ロッド５５が補助ロッド５７により移動ブロック４７と回転ロッド１２とを連動させて上方へ移動させ、移動ブロック４７が上方へ移動することにより第二ベベルギヤ４８と第一べべるギヤ１５とを噛み合わせ、そして回転ロッド１２を回転させて第二ベベルギヤ４８を連動させて回転させ、第二ベベルギヤ４８が第一べべるギヤ１５により鉛筆削り２０を連動させて回転させ、鉛筆削り２０が筆を削って鉛筆の穂先を鋭くすることができる。
【００１３】
前記補助機構８０はまた前記補助チャンバ３２の上方に設置された移動チャンバ２９を含み、前記移動チャンバ２９の中には消しゴム箱３０がスライドできるように装着され、前記消しゴム箱３０の後側端面と前記移動チャンバ２９の後側内壁との間には第三ばね４９が固定的に装着され、前記消しゴム箱３０の左側端面には左方へ開口した引っ掛かり溝２８が設置され、前記移動チャンバ２９の左側にはばねチャンバ２６が連通するように設置され、前記ばねチャンバ２６の中には引っ掛かりブロック２７がスライドできるように装着され、前記引っ掛かりブロック２７が前記引っ掛かり溝２８の中に引っ掛かることができ、前記引っ掛かりブロック２７の左側端面と前記ばねチャンバ２６の左側内壁との間には第二ばね２５が固定的に装着され、前記ばねチャンバ２６の上方には引きロッドチャンバ２４が連通するように設置され、前記引きロッドチャンバ２４の中には引きロッド削り屑箱２３がスライドできるように装着され、前記引きロッド削り屑箱２３が前記引っ掛かりブロック２７と固定的に連結され、消しゴム箱３０の中から消しゴムを取り出す時、引きロッド削り屑箱２３を引き動かして引っ掛かりブロック２７を連動させて左方へ移動させ、引っ掛かりブロック２７が引っ掛かり溝２８との引っ掛かり状態から離脱し、そして消しゴム箱３０の中から消しゴムを取り出す。
【００１４】
使用する時、筆を使用する時、ボタン３８を押して推し動かしロッド３６を推し動かして左方へ移動させ、推し動かしロッド３６が連結ロッド３５によりスライド板４１を連動させて下方へ移動させ、スライド板４１が閉じ板４３を連動させて下方へ回転させ、これにより鉛筆やペンなどがスライド溝４０により滑り出て、鉛筆を削る時、筆箱蓋１８を開けて伝動ロッド５０を連動させて回転させ、伝動ロッド５０がひも５２により移動ロッド５５を引き動かして後方へ移動させ、そして移動ロッド５５が補助ロッド５７により移動ブロック４７と回転ロッド１２とを連動させて上方へ移動させ、移動ブロック４７が上方へ移動することにより第二ベベルギヤ４８と第一べべるギヤ１５とを噛み合わせ、そして回転ロッド１２を回転させて第二ベベルギヤ４８を連動させて回転させ、第二ベベルギヤ４８が第一べべるギヤ１５により鉛筆削り２０を連動させて回転させ、鉛筆削り２０が筆を削って筆の穂先を鋭くすることができ、消しゴム箱３０の中から消しゴムを取り出す時、引きロッド削り屑箱２３を引き動かして引っ掛かりブロック２７を連動させて左方へ移動させ、引っ掛かりブロック２７が引っ掛かり溝２８との引っ掛かり状態から離脱し、そして消しゴム箱３０の中から消しゴムを取り出す。
【００１５】
本発明の有益効果は：本発明は消しゴムと鉛筆やペンなどを別々に置き、消しゴムと鉛筆やペンなどを使用する時、筆箱を開けなくても消しゴムと鉛筆やペンなどを取り出すことができ、補助機構の中の物差しが測る機能を有し、鉛筆を削る時、鉛筆削りで鉛筆を削ることを実現でき、ほかの鉛筆を削る道具をわざわざ携帯する必要がなく、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182770.tif 000003
【図２】
2020182770.tif 000004
【図３】
2020182770.tif 000005
【図４】
2020182770.tif 000006
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
正面視で、筆箱を含み、前記筆箱の中には上方へ開口した五つの筆チャンバが設置され、前記筆チャンバの左側には回転チャンバが連通するように設置され、前記回転チャンバの前後内壁の間には閉じ板が回転できるように装着され、前記筆チャンバの下方にはスライド溝が連通するように設置され、前記閉じ板が前記スライド溝とスライドできるように装着され、前記閉じ板の中にはスライドチャンバが設置され、前記スライドチャンバの中にはスライド板がスライドできるように装着され、前記スライド溝の下方にはヒンジ連結チャンバが設置され、前記スライド板が下方へ伸びて前記ヒンジ連結チャンバの頂壁を貫通しており、前記ヒンジ連結チャンバの右側にはボタンチャンバが設置され、前記ボタンチャンバの中にはボタンがスライドできるように装着され、前記ボタンの左側端面には前記ヒンジ連結チャンバの右側内壁を貫通している推し動かしロッドが固定的に装着され、前記推し動かしロッドと前記スライド板との間には連結ロッドがヒンジにより装着され、前記ボタンの左側端面と前記ボタンチャンバの左側内壁との間には第一ばねが固定的に装着され、鉛筆やペンなどを前記筆チャンバの中に置け、鉛筆やペンなどを使用する時、前記ボタンを押して前記推し動かしロッドを推し動かして左方へ移動させ、前記推し動かしロッドが前記連結ロッドにより前記スライド板を連動させて下方へ移動させ、前記スライド板が前記閉じ板を連動させて下方へ回転させ、これにより鉛筆やペンなどが前記スライド溝を通じて滑り出て、前記筆チャンバの左側には鉛筆を削る機能を有する鉛筆削り機構が設置され、前記鉛筆削り機構は前記筆箱の中に設置された鉛筆削りチャンバを含み、前記鉛筆削りチャンバの右側内壁の中には前記筆箱の左側端面を貫通している鉛筆削りが回転できるよに装着され、前記鉛筆削りチャンバの中には鉛筆の削り屑を貯蔵することができる貯蔵チャンバが置かれており、前記鉛筆削り機構の下方には消しゴムを取り出すことができて測る機能を有する補助機構が設置され、前記補助機構は前記筆箱の底部端面の中に設置された補助チャンバを含み、前記補助チャンバの上下内壁の間には支持ロッドが回転できるように装着され、前記支持ロッドには測れる物差しが固定的に装着されていることを特徴とする多機能筆箱。
【請求項２】
前記鉛筆削り機構はまた前記筆箱の頂部端面に設置された推し動かしチャンバを含み、前記推し動かしチャンバの中には回転ロッドがスライドできるように装着され、前記推し動かしチャンバの下方には噛み合いチャンバが連通するように設置され、前記鉛筆削りの右側端面には動力ロッドが固定的に装着され、前記動力ロッドの右側端面には第一ベベルギヤが固定的に装着され、前記噛み合いチャンバの下方には移動溝が連通するように設置され、前記移動溝の中には移動ブロックがスライドできるように装着され、前記移動ブロックが前記回転ロッドと回転できるように装着され、前記回転ロッドには第二ベベルギヤが固定的に装着され、前記第二ベベルギヤが前記第一ベベルギヤと噛み合うことができ、前記筆箱の後側端面には伝動チャンバが設置され、前記伝動チャンバの左右内壁の間には伝動ロッドが回転できるように装着され、前記伝動ロッドには固定ブロックが前記伝動ロッドを対称中心にして左右対称的に、且つ固定的に装着され、左右の前記固定ブロックには筆箱蓋が固定的に装着され、前記伝動チャンバの下方にはリールチャンバが設置され、前記リールチャンバの左右内壁の間にはリールが回転できるように装着され、前記リールチャンバの前側には伝動溝が設置され、前記伝動溝の中には移動ロッドがスライドできるように装着され、前記移動ロッドの前側端面と前記伝動溝の前側内壁との間には第四ばねが固定的に装着され、前記移動ブロックの中には連結溝が設置され、前記連結溝が前記移動ロッドとスライドできるように装着され、前記移動ロッドの左側端面には補助ロッドが固定的に装着され、前記連結溝の左側には補助溝が連通するように設置され、前記補助溝が前記補助ロッドとスライドできるように装着され、前記伝動ロッドと前記移動ロッドとの間には前記リールによりひもが固定的に装着されていることを特徴とする請求項１に記載の多機能筆箱。
【請求項３】
前記補助機構はまた前記補助チャンバの上方に設置された移動チャンバを含み、前記移動チャンバの中には消しゴム箱がスライドできるように装着され、前記消しゴム箱の後側端面と前記移動チャンバの後側内壁との間には第三ばねが固定的に装着され、前記消しゴム箱の左側端面には左方へ開口した引っ掛かり溝が設置され、前記移動チャンバの左側にはばねチャンバが連通するように設置され、前記ばねチャンバの中には引っ掛かりブロックがスライドできるように装着され、前記引っ掛かりブロックが前記引っ掛かり溝の中に引っ掛かることができ、前記引っ掛かりブロックの左側端面と前記ばねチャンバの左側内壁との間には第二ばねが固定的に装着され、前記ばねチャンバの上方には引きロッドチャンバが連通するように設置され、前記引きロッドチャンバの中には引きロッド削り屑箱がスライドできるように装着され、前記引きロッド削り屑箱が前記引っ掛かりブロックと固定的に連結されていることを特徴とする請求項１に記載の多機能筆箱。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には多機能筆箱である。
【背景技術】
【０００２】
一般の筆箱は鉛筆やペンや消しゴムなどを置く機能しか有しなく、鉛筆やペンや消しゴムなどを取り出す時に筆箱を開けてこそ取り出すことができ、且つ一般の筆箱は測る機能も鉛筆を削る機能も有しなく、鉛筆を削る単独の道具を使用してこそ鉛筆を削ることができる。
【先行技術文献】
【特許文献】
【０００３】
【特許文献１】中国特許出願公開第１０３１２９２２２号明細書
【発明の概要】
【発明が解決しようとする課題】
【０００４】
本発明は多機能筆箱を提供し、従来技術における上記欠点を解消することを目的とする。
【課題を解決するための手段】
【０００５】
本発明の実施例の多機能筆箱は、筆箱を含み、前記筆箱の中には上方へ開口した五つの筆チャンバが設置され、前記筆チャンバの左側には回転チャンバが連通するように設置され、前記回転チャンバの前後内壁の間には閉じ板が回転できるように装着され、前記筆チャンバの下方にはスライド溝が連通するように設置され、前記閉じ板が前記スライド溝とスライドできるように装着され、前記閉じ板の中にはスライドチャンバが設置され、前記スライドチャンバの中にはスライド板がスライドできるように装着され、前記スライド溝の下方にはヒンジ連結チャンバが設置され、前記スライド板が下方へ伸びて前記ヒンジ連結チャンバの頂壁を貫通しており、前記ヒンジ連結チャンバの右側にはボタンチャンバが設置され、前記ボタンチャンバの中にはボタンがスライドできるように装着され、前記ボタンの左側端面には前記ヒンジ連結チャンバの右側内壁を貫通している推し動かしロッドが固定的に装着され、前記推し動かしロッドと前記スライド板との間には連結ロッドがヒンジにより装着され、前記ボタンの左側端面と前記ボタンチャンバの左側内壁との間には第一ばねが固定的に装着され、鉛筆やペンなどを前記筆チャンバの中に置け、鉛筆やペンなどを使用する時、前記ボタンを押して前記推し動かしロッドを推し動かして左方へ移動させ、前記推し動かしロッドが前記連結ロッドにより前記スライド板を連動させて下方へ移動させ、前記スライド板が前記閉じ板を連動させて下方へ回転させ、これにより鉛筆やペンなどが前記スライド溝を通じて滑り出て、前記筆チャンバの左側には鉛筆を削る機能を有する鉛筆削り機構が設置され、前記鉛筆削り機構は前記筆箱の中に設置された鉛筆削りチャンバを含み、前記鉛筆削りチャンバの右側内壁の中には前記筆箱の左側端面を貫通している鉛筆削りが回転できるよに装着され、前記鉛筆削りチャンバの中には鉛筆の削り屑を貯蔵することができる貯蔵チャンバが置かれており、前記鉛筆削り機構の下方には消しゴムを取り出すことができて測る機能を有する補助機構が設置され、前記補助機構は前記筆箱の底部端面の中に設置された補助チャンバを含み、前記補助チャンバの上下内壁の間には支持ロッドが回転できるように装着され、前記支持ロッドには測れる物差しが固定的に装着されている。
【０００６】
更の技術プランとしては、前記鉛筆削り機構はまた前記筆箱の頂部端面に設置された推し動かしチャンバを含み、前記推し動かしチャンバの中には回転ロッドがスライドできるように装着され、前記推し動かしチャンバの下方には噛み合いチャンバが連通するように設置され、前記鉛筆削りの右側端面には動力ロッドが固定的に装着され、前記動力ロッドの右側端面には第一ベベルギヤが固定的に装着され、前記噛み合いチャンバの下方には移動溝が連通するように設置され、前記移動溝の中には移動ブロックがスライドできるように装着され、前記移動ブロックが前記回転ロッドと回転できるように装着され、前記回転ロッドには第二ベベルギヤが固定的に装着され、前記第二ベベルギヤが前記第一ベベルギヤと噛み合うことができ、前記筆箱の後側端面には伝動チャンバが設置され、前記伝動チャンバの左右内壁の間には伝動ロッドが回転できるように装着され、前記伝動ロッドには固定ブロックが前記伝動ロッドを対称中心にして左右対称的に、且つ固定的に装着され、左右の前記固定ブロックには筆箱蓋が固定的に装着され、前記伝動チャンバの下方にはリールチャンバが設置され、前記リールチャンバの左右内壁の間にはリールが回転できるように装着され、前記リールチャンバの前側には伝動溝が設置され、前記伝動溝の中には移動ロッドがスライドできるように装着され、前記移動ロッドの前側端面と前記伝動溝の前側内壁との間には第四ばねが固定的に装着され、前記移動ブロックの中には連結溝が設置され、前記連結溝が前記移動ロッドとスライドできるように装着され、前記移動ロッドの左側端面には補助ロッドが固定的に装着され、前記連結溝の左側には補助溝が連通するように設置され、前記補助溝が前記補助ロッドとスライドできるように装着され、前記伝動ロッドと前記移動ロッドとの間には前記リールによりひもが固定的に装着されている。
【０００７】
更の技術プランとしては、前記補助機構はまた前記補助チャンバの上方に設置された移動チャンバを含み、前記移動チャンバの中には消しゴム箱がスライドできるように装着され、前記消しゴム箱の後側端面と前記移動チャンバの後側内壁との間には第三ばねが固定的に装着され、前記消しゴム箱の左側端面には左方へ開口した引っ掛かり溝が設置され、前記移動チャンバの左側にはばねチャンバが連通するように設置され、前記ばねチャンバの中には引っ掛かりブロックがスライドできるように装着され、前記引っ掛かりブロックが前記引っ掛かり溝の中に引っ掛かることができ、前記引っ掛かりブロックの左側端面と前記ばねチャンバの左側内壁との間には第二ばねが固定的に装着され、前記ばねチャンバの上方には引きロッドチャンバが連通するように設置され、前記引きロッドチャンバの中には引きロッド削り屑箱がスライドできるように装着され、前記引きロッド削り屑箱が前記引っ掛かりブロックと固定的に連結されている。
【発明の効果】
【０００８】
本発明の有益効果は：本発明は消しゴムと鉛筆やペンなどを別々に置き、消しゴムと鉛筆やペンなどを使用する時、筆箱を開けなくても消しゴムと鉛筆やペンなどを取り出すことができ、補助機構の中の物差しが測る機能を有し、鉛筆を削る時、鉛筆削りで鉛筆を削ることを実現でき、ほかの鉛筆を削る道具をわざわざ携帯する必要がなく、普及する価値がある。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の構成模式図
【図２】図２は図１のＡ−Ａ方向の断面構成模式図
【図３】図３は図１のＢ−Ｂ方向の断面構成模式図
【図４】図４は本発明の右側面図
【発明を実施するための形態】
【００１１】
図１〜４を参照し、本発明の実施例の多機能筆箱は、筆箱２１を含み、前記筆箱２１の中には上方へ開口した五つの筆チャンバ１１が設置され、前記筆チャンバ１１の左側には回転チャンバ４４が連通するように設置され、前記回転チャンバ４４の前後内壁の間には閉じ板４３が回転できるように装着され、前記筆チャンバ１１の下方にはスライド溝４０が連通するように設置され、前記閉じ板４３が前記スライド溝４０とスライドできるように装着され、前記閉じ板４３の中にはスライドチャンバ４２が設置され、前記スライドチャンバ４２の中にはスライド板４１がスライドできるように装着され、前記スライド溝４０の下方にはヒンジ連結チャンバ３４が設置され、前記スライド板４１が下方へ伸びて前記ヒンジ連結チャンバ３４の頂壁を貫通しており、前記ヒンジ連結チャンバ３４の右側にはボタンチャンバ３７が設置され、前記ボタンチャンバ３７の中にはボタン３８がスライドできるように装着され、前記ボタン３８の左側端面には前記ヒンジ連結チャンバ３４の右側内壁を貫通している推し動かしロッド３６が固定的に装着され、前記推し動かしロッド３６と前記スライド板４１との間には連結ロッド３５がヒンジにより装着され、前記ボタン３８の左側端面と前記ボタンチャンバ３７の左側内壁との間には第一ばね３９が固定的に装着され、鉛筆やペンなどを前記筆チャンバ１１の中に置け、鉛筆やペンなどを使用する時、前記ボタン３８を押して前記推し動かしロッド３６を推し動かして左方へ移動させ、前記推し動かしロッド３６が前記連結ロッド３５により前記スライド板４１を連動させて下方へ移動させ、前記スライド板４１が前記閉じ板４３を連動させて下方へ回転させ、これにより鉛筆やペンなどが前記スライド溝４０を通じて滑り出て、前記筆チャンバ１１の左側には鉛筆を削る機能を有する鉛筆削り機構７０が設置され、前記鉛筆削り機構７０は前記筆箱２１の中に設置された鉛筆削りチャンバ１９を含み、前記鉛筆削りチャンバ１９の右側内壁の中には前記筆箱２１の左側端面を貫通している鉛筆削り２０が回転できるよに装着され、前記鉛筆削りチャンバ１９の中には鉛筆の削り屑を貯蔵することができる貯蔵チャンバ２２が置かれており、前記鉛筆削り機構７０の下方には消しゴムを取り出すことができて測る機能を有する補助機構８０が設置され、前記補助機構８０は前記筆箱２１の底部端面の中に設置された補助チャンバ３２を含み、前記補助チャンバ３２の上下内壁の間には支持ロッド３１が回転できるように装着され、前記支持ロッド３１には測れる物差し３３が固定的に装着されている。
【００１２】
前記鉛筆削り機構７０はまた前記筆箱２１の頂部端面に設置された推し動かしチャンバ１３を含み、前記推し動かしチャンバ１３の中には回転ロッド１２がスライドできるように装着され、前記推し動かしチャンバ１３の下方には噛み合いチャンバ１６が連通するように設置され、前記鉛筆削り２０の右側端面には動力ロッド１７が固定的に装着され、前記動力ロッド１７の右側端面には第一ベベルギヤ１５が固定的に装着され、前記噛み合いチャンバ１６の下方には移動溝４６が連通するように設置され、前記移動溝４６の中には移動ブロック４７がスライドできるように装着され、前記移動ブロック４７が前記回転ロッド１２と回転できるように装着され、前記回転ロッド１２には第二ベベルギヤ４８が固定的に装着され、前記第二ベベルギヤ４８が前記第一ベベルギヤ１５と噛み合うことができ、前記筆箱２１の後側端面には伝動チャンバ５１が設置され、前記伝動チャンバ５１の左右内壁の間には伝動ロッド５０が回転できるように装着され、前記伝動ロッド５０には固定ブロック６１が前記伝動ロッド５０を対称中心にして左右対称的に、且つ固定的に装着され、左右の前記固定ブロック６１には筆箱蓋１８が固定的に装着され、前記伝動チャンバ５１の下方にはリールチャンバ５４が設置され、前記リールチャンバ５４の左右内壁の間にはリール５３が回転できるように装着され、前記リールチャンバ５４の前側には伝動溝５９が設置され、前記伝動溝５９の中には移動ロッド５５がスライドできるように装着され、前記移動ロッド５５の前側端面と前記伝動溝５９の前側内壁との間には第四ばね６０が固定的に装着され、前記移動ブロック４７の中には連結溝５８が設置され、前記連結溝５８が前記移動ロッド５５とスライドできるように装着され、前記移動ロッド５５の左側端面には補助ロッド５７が固定的に装着され、前記連結溝５８の左側には補助溝５６が連通するように設置され、前記補助溝５６が前記補助ロッド５７とスライドできるように装着され、前記伝動ロッド５０と前記移動ロッド５５との間には前記リール５３によりひも５２が固定的に装着され、鉛筆を削る時、筆箱蓋１８を開けて伝動ロッド５０を連動させて回転させ、伝動ロッド５０がひも５２により移動ロッド５５を引き動かして後方へ移動させ、そして移動ロッド５５が補助ロッド５７により移動ブロック４７と回転ロッド１２とを連動させて上方へ移動させ、移動ブロック４７が上方へ移動することにより第二ベベルギヤ４８と第一べべるギヤ１５とを噛み合わせ、そして回転ロッド１２を回転させて第二ベベルギヤ４８を連動させて回転させ、第二ベベルギヤ４８が第一べべるギヤ１５により鉛筆削り２０を連動させて回転させ、鉛筆削り２０が筆を削って鉛筆の穂先を鋭くすることができる。
【００１３】
前記補助機構８０はまた前記補助チャンバ３２の上方に設置された移動チャンバ２９を含み、前記移動チャンバ２９の中には消しゴム箱３０がスライドできるように装着され、前記消しゴム箱３０の後側端面と前記移動チャンバ２９の後側内壁との間には第三ばね４９が固定的に装着され、前記消しゴム箱３０の左側端面には左方へ開口した引っ掛かり溝２８が設置され、前記移動チャンバ２９の左側にはばねチャンバ２６が連通するように設置され、前記ばねチャンバ２６の中には引っ掛かりブロック２７がスライドできるように装着され、前記引っ掛かりブロック２７が前記引っ掛かり溝２８の中に引っ掛かることができ、前記引っ掛かりブロック２７の左側端面と前記ばねチャンバ２６の左側内壁との間には第二ばね２５が固定的に装着され、前記ばねチャンバ２６の上方には引きロッドチャンバ２４が連通するように設置され、前記引きロッドチャンバ２４の中には引きロッド削り屑箱２３がスライドできるように装着され、前記引きロッド削り屑箱２３が前記引っ掛かりブロック２７と固定的に連結され、消しゴム箱３０の中から消しゴムを取り出す時、引きロッド削り屑箱２３を引き動かして引っ掛かりブロック２７を連動させて左方へ移動させ、引っ掛かりブロック２７が引っ掛かり溝２８との引っ掛かり状態から離脱し、そして消しゴム箱３０の中から消しゴムを取り出す。
【００１４】
使用する時、筆を使用する時、ボタン３８を押して推し動かしロッド３６を推し動かして左方へ移動させ、推し動かしロッド３６が連結ロッド３５によりスライド板４１を連動させて下方へ移動させ、スライド板４１が閉じ板４３を連動させて下方へ回転させ、これにより鉛筆やペンなどがスライド溝４０により滑り出て、鉛筆を削る時、筆箱蓋１８を開けて伝動ロッド５０を連動させて回転させ、伝動ロッド５０がひも５２により移動ロッド５５を引き動かして後方へ移動させ、そして移動ロッド５５が補助ロッド５７により移動ブロック４７と回転ロッド１２とを連動させて上方へ移動させ、移動ブロック４７が上方へ移動することにより第二ベベルギヤ４８と第一べべるギヤ１５とを噛み合わせ、そして回転ロッド１２を回転させて第二ベベルギヤ４８を連動させて回転させ、第二ベベルギヤ４８が第一べべるギヤ１５により鉛筆削り２０を連動させて回転させ、鉛筆削り２０が筆を削って筆の穂先を鋭くすることができ、消しゴム箱３０の中から消しゴムを取り出す時、引きロッド削り屑箱２３を引き動かして引っ掛かりブロック２７を連動させて左方へ移動させ、引っ掛かりブロック２７が引っ掛かり溝２８との引っ掛かり状態から離脱し、そして消しゴム箱３０の中から消しゴムを取り出す。
【００１５】
本発明の有益効果は：本発明は消しゴムと鉛筆やペンなどを別々に置き、消しゴムと鉛筆やペンなどを使用する時、筆箱を開けなくても消しゴムと鉛筆やペンなどを取り出すことができ、補助機構の中の物差しが測る機能を有し、鉛筆を削る時、鉛筆削りで鉛筆を削ることを実現でき、ほかの鉛筆を削る道具をわざわざ携帯する必要がなく、普及する価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
@@@@@@end